(57)【要約】【課題】放出ノズル１１８を備えた注射器１２２を含む注入器具１１０を提供すること。【解決手段】注射器は、放出ノズルがハウジング内に収納される引っ込み位置と放出ノズルがハウジングから延びる伸長位置との間で動くことができる。トリガ１１４が、注射器の内容物を放出ノズルから放出させることができるよう作動可能である。また、稼働時、トリガが稼働位置に動くのを阻止する解除可能なロック機構体１１６が設けられる。トリガは、切り欠き部１５２を備えた第１の部分１５０を有し、この第１の部分は、第１の軸線１０１に実質的に平行な方向でトリガの第１の端部から延びる。解除可能なロック機構体は、第２の軸線１８１に沿って設けられていて、解除可能なロック機構体を稼働させると、トリガの第１の部分と連絡し、解除可能なロック機構体を稼働解除すると、切り欠き部と連絡する突起１５４を有する。【選択図】図１
2008534205.tif 000002
【特許請求の範囲】
【請求項１】
注入器具において、
第１の軸線を定めるハウジングであって、前記ハウジングは、放出ノズルを備えた注射器を受け入れるよう構成されていて、前記注射器が、前記放出ノズルが前記ハウジング内に収納される引っ込み位置と、前記放出ノズルが出口孔を通って前記ハウジングから延びる伸長位置との間で移動可能である、ハウジングと、
作用を受けて前記注射器に作用する駆動装置と、
トリガであって、前記駆動装置が保持されるようにする休止位置から、前記駆動装置をもはやそのようには保持されていないようにする稼働位置へと移動可能であり、このようにして、前記注射器の内容物を前記放出ノズルから放出することができるようにする、トリガと、
解除可能なロック機構体であって、前記トリガがその稼働位置に動くことを阻止される第１の位置から、前記トリガをその稼働位置に動かすことができる第２の位置に移動可能である、解除可能なロック機構体と、
を具備し、
前記トリガは、切り欠き部が設けられた第１の部分を含み、
前記第１の部分は、前記トリガの第１の端部から前記第１の軸線に実質的に平行な方向に延び、
前記解除可能なロック機構体は、前記解除可能なロック機構体がその第１の位置にあるときに前記トリガの前記第１の部分と連絡し、前記解除可能なロック機構体がその第２の位置にあるときに前記切り欠き部と連絡するために、第２の軸線に沿った突起を含む、注入器具。
【請求項２】
請求項１記載の注入器具において、
前記解除可能なロック機構体がその第２の位置にあり、前記トリガがその稼働位置にあるとき、前記突起は、前記切り欠き部の縁と連絡するように構成されている隆起部を具備し、それにより、前記トリガのその稼働位置からその休止位置への移動を阻止する、注入器具。
【請求項３】
請求項２記載の注入器具において、
前記トリガは、第２の部分であって、前記トリガの前記第１の部分の前記切り欠き部内に延びており、前記解除可能なロック機構体がその第２の位置にあり、前記トリガがその稼働位置にあるときに、前記隆起部と連絡するように構成されている第２の部分を更に含む、注入器具。
【請求項４】
請求項３記載の注入器具において、
前記解除可能なロック機構体は、前記突起を前記第２の部分に対して押し付けるように構成された付勢手段を具備する、注入器具。
【請求項５】
請求項１〜４のうちのいずれか1項に記載の注入器具において、
前記トリガの前記第１の部分は、前記第１の部分に配置された隆起部を具備し、前記突起は、前記トリガがその休止位置にあるときに、前記切り欠き部と前記隆起部との間に位置して、前記トリガをその休止位置から動かそうとした場合、前記隆起部が前記突起と連絡するようになっている、注入器具。
【請求項６】
請求項１〜５のうちのいずれか1項に記載の注入器具において、
前記突起は、前記第２の軸線に対して角度をなしている傾斜面を具備する、注入器具。
【請求項７】
請求項１〜６のうちのいずれか1項に記載の注入器具において、
前記第１の軸線と前記第２の軸線とは、互いに垂直である、注入器具。
【請求項８】
注入器具において、
実質的に添付の図面を参照して本明細書において説明すると共に、添付の図面に示した、注入器具。
【発明の詳細な説明】
【開示の内容】
【０００１】
〔発明の分野〕
本発明は、注射器を受け入れ、注射器を伸長させ、その内容物を放出させ、次に注射器を自動的に引っ込める形式の注入器具に関する。
【０００２】
〔発明の背景〕
従来公知の器具が、国際公開第９５／３５１２６号パンフレットおよび欧州特許出願公開第０５１６４７３号明細書に示されており、かかる注入器具は、駆動ばね、および作動時に、解除可能なロック機構体もまた稼働されると、駆動ばねが注射器に作用するようにするトリガを採用する傾向がある。
【０００３】
一般に、トリガは、軸線回りに回転可能であり、従って、トリガの第１の端部を押し下げると、第２の端部（通常、駆動ばねに係合している）もまた回転し、それにより駆動ばねが解除され、注射器が伸長されてその内容物が放出されるようになっている。トリガは、解除可能なロック機構体を稼働させると、解除可能なロック機構体に設けられている切り欠き部と係合可能な突起を有し、それによりトリガを作動させることができる。解除可能なロック機構体が稼働解除状態にあるとき、突起は、解除可能なロック機構体の一部分に当接し、トリガの回転および駆動ばねの解除を阻止する。このようにして、トリガの偶発的な作動を阻止することができる。
【０００４】
この種の注入器具に伴う問題としては、トリガの突起が、力がトリガに加えられ、解除可能なロック機構体が稼働解除状態にあるときに、撓む、ということが挙げられる。トリガに強力な力が加えられると、突起の端部が解除可能なロック機構体の切り欠き部に係合できるほど突起が撓む場合があり、それにより、解除可能なロック機構体が稼働解除されていない場合であってもトリガの作動が可能である。
【０００５】
〔発明の概要〕
本発明の注入器具は、上述の問題に取り組むように設計されている。
【０００６】
上記のことを考慮し、本発明の第1項の態様によれば、注入器具において、
第１の軸線を定めるハウジングであって、ハウジングは、放出ノズルを備えた注射器を受け入れるよう構成されていて、注射器が、放出ノズルがハウジング内に収納される引っ込み位置と、放出ノズルが出口孔を通ってハウジングから延びる伸長位置との間で移動可能である、ハウジングと、
作用を受けて注射器に作用する駆動装置と、
トリガであって、駆動装置は保持されるようにする休止位置から、駆動装置をもはやそのようには保持されていないようにする稼働位置へと移動可能であり、このようにして、注射器の内容物を放出ノズルから放出することができるようにする、トリガと、
解除可能なロック機構体であって、トリガがその稼働位置に動くことを阻止される第１の位置から、トリガをその稼働位置に動かすことができる第２の位置に移動可能である、解除可能なロック機構体と、
を具備し、
トリガは、切り欠き部が設けられた第１の部分を含み、
第１の部分は、前記トリガの第１の端部から第１の軸線に実質的に平行な方向に延び、
解除可能なロック機構体は、解除可能なロック機構体がその第１の位置にあるときにトリガの第１の部分と連絡し、解除可能なロック機構体がその第２の位置にあるときに切り欠き部と連絡するために、第２の軸線に沿った突起を含む、注入器具が提供される。
【０００７】
かくして、ロック機構体がその第１の位置（即ち、稼働状態）にあるとき、力がトリガに加えられると、トリガの第１の部分と突起の両方は、突起が切り欠き部から離されるような仕方で撓み、それにより、トリガの偶発的な作動の恐れが減少する。
【０００８】
本発明の一実施形態では、解除可能なロック機構体がその第２の位置にあり、トリガがその稼働位置にあるとき、突起は、切り欠き部の縁と連絡するように構成された隆起部を具備し、それにより、トリガのその稼働位置からその休止位置への運動を阻止する。
【０００９】
加うるに、トリガは、トリガの第１の部分の切り欠き部内に延び、解除可能なロック機構体がその第２の位置にあり、トリガがその稼働位置にあるとき、隆起部と連絡するよう構成された第２の部分を更に含んでいて良い。
【００１０】
したがって、トリガを作動後に回転位置に維持することができ、これは、注入器具が使用されたらしいことを指示するのに役立つ。
【００１１】
好ましくは、解除可能なロック機構体は、突起を第２の部分に押し付けるように構成された付勢手段を具備する。
【００１２】
有利なことには、トリガの第１の部分は、第１の部分に設けられた隆起部を具備し、突起は、トリガがその休止位置にあるとき、切り欠き部と隆起部との間に位置して、トリガをその休止位置から動かそうとした場合、隆起部が突起と連絡するようになっている。
【００１３】
第２の隆起部は、突起の端部が第１の位置の端部を越えて延び、その結果、トリガが回転できるようにするような仕方でトリガの第１の部分および突起が撓むのを阻止する。
【００１４】
突起は、第２の軸線に対して角度をなした傾斜面を具備していて良く、それにより、ロック機構体が稼働解除されたときに突起が切り欠き部にスムーズに入るようにする。
【００１５】
好ましくは、第１の軸線と第２の軸線とは、互いに垂直であり、それにより、突起と第１の位置が、ロック機構体を稼働解除したときに突起が切り欠き部に入るようにするよう最適に配置されるようになっているが、このことはまた、突起と第１の位置が、ロック機構体を稼働させたときにトリガの偶発的な作動を回避するような仕方で撓むようになることを意味している。
【００１６】
次に、添付の図面を参照して本発明を例示的に説明する。
【００１７】
〔図面の詳細な説明〕
図１および図２は、本発明の第１の実施形態に従った注入器具１１０を示している。注入器具１１０は、注入器具ハウジング１１２および長手方向軸線１０１を有している。
【００１８】
注射器１２２が、ハウジング１１２内に収納されている。注入器具１１０は、トリガ１１４および解除可能なロック機構体１１６を有している。トリガ１１４は、第１の端部１１４ａおよび第２の端部１１４ｂを有している。トリガ１１４は、休止位置（図２に示されている）から稼働位置にピボット１１５回りに回転可能である。トリガ１１４の第２の端部１１４ｂは、駆動継手１２１に連結され、この駆動継手は、駆動ばね１２０の作用を受ける。駆動継手１２１は、注射器１２２と連絡状態にある。
【００１９】
トリガ１１４をピボット１１５回りに、方向Ｒ（即ち、その第１の端部１１４ａのところでのハウジング１１２内への下向き）に回転させると、トリガ１１４の第２の端部１１４ｂは、駆動継手１２１から離脱し、それにより駆動ばね１２０が注射器１２２（駆動継手１２１を介して）長手方向軸線１０１に沿って駆動して、これをハウジング１１２に設けられている孔１１８から出すようにする。
【００２０】
解除可能なロック機構体１１６は、摺動スリーブ１２６と連絡状態にあり、この摺動スリーブは、第１の位置にあるとき、ハウジング１１２の孔１１８から突き出る。ロック機構体１１６は、摺動スリーブ１２６を長手方向軸線１０１に沿って第２の位置までハウジング１１２内に移動させることにより非稼働状態になる。
【００２１】
摺動スリーブ１２６の第１の端部１２６ａを、薬剤が投与される身体に対して押し付けられて良く、それにより、解除可能なロック機構体１１６を非稼働状態にし、トリガ１１４がその休止位置からその稼働位置まで方向Ｒに回転することができる。
【００２２】
図５および図６から理解できるように、トリガ１１４は、その第１の端部１１４ａに、切り欠き部１５２を有する第１の部分１５０を備えている。第１の部分１５０は、トリガ１１４の第１の端部１１４ａから長手方向軸線１０１に実質的に平行な方向に延びている。
【００２３】
解除可能なロック機構体１１６は、突起１５４を有し、この突起は、長手方向軸線１０１に垂直な垂直軸線１８１に沿う方向に突き出ている。切り欠き部１５２は、突起１５４を受け入れるように寸法が決められている。
【００２４】
解除可能なロック機構体１１６がその第１の位置にあるとき、突起１５４の端部１５４ａは、第１の部分１５０の下面に当接し、それによりトリガ１１４の回転を阻止する。
【００２５】
解除可能なロック機構体１１６がハウジング１１２内への摺動スリーブ１２６の運動後にその第２の位置（図示せず）にあるとき、切り欠き部１５２は、突起１５４の端部の上方に配置され、それにより切り欠き部は、下向きの力をトリガ１１２に加えると、突起１５４上を通過することができる。それ故、トリガ１１２は、回転がもはや阻止されず、それ自体が駆動継手１２１から外れ、それにより注射器１２２を伸長させる。
【００２６】
突起１５４は、第１の隆起部１６０を有している。トリガ１１４は、第２の部分１６２を有し、この第２の部分は、トリガ１１４の第１の部分１５０の切り欠き部１５２に入り、この切り欠き部は、トリガ１１４の回転に続き第２の部分１６２と連絡するよう配置され、第１の隆起部１６０が、第２の部分１６２上にロックされ、それによりトリガの稼働位置からその休止位置への戻り運動を阻止するようになっている。
【００２７】
ロック機構体１１６は、弾性アーム１７１の形態をした付勢手段を有し、これら弾性アームは、ハウジング１１２の内面に作用してロック機構体１１６および摺動スリーブ１２６を孔１１８から出る方向に付勢する。このように、トリガ１１２の作動に続き、第１の隆起部１６０がトリガ１１２の第２の部分１６２上にロックされ、それによりトリガ１１２をその稼働位置に保持する。
【００２８】
トリガの第１の部分１５０は、第１の部分１５０の下面１５６に設けられた第２の隆起部１６４を有し、この第２の隆起部は、切り欠き部１５２と第１の部分１５０の端部との間に配置されている。第２の隆起部１６４は、力を方向Ｒでトリガ１１４に加えると、解除可能なロック機構体がその第１の（即ち、稼働）位置にあるとき、突起１５４に当接する。これにより、突起１５４は、その端部１５４ａが第１の部分１５０の端部上に動き、それにより解除可能なロック機構体１１６が依然として稼働状態にある間にトリガ１１４を回転させることができ、それにより注入器具１１０を偶発的に「発火」させる位置に動くことが阻止される。
【００２９】
突起１５４は、第２の軸線１８１に対して角度をなした傾斜面１６６を有し、それにより、トリガ１１４の第２の部分１６２は、トリガ１１４を回転させて解除可能なロック機構体１１６を稼働解除すると、突起１５４上を効果的に通過することができる。
【００３０】
当然のことながら、本発明を純粋に例示として上述しているに過ぎず、細部の設計変更を本発明の範囲内で行なうことができるということは理解されよう。
【００３１】
〔実施の態様〕
（１）注入器具において、
第１の軸線を定めるハウジングであって、前記ハウジングは、放出ノズルを備えた注射器を受け入れるよう構成されていて、前記注射器が、前記放出ノズルが前記ハウジング内に収納される引っ込み位置と、前記放出ノズルが出口孔を通って前記ハウジングから延びる伸長位置との間で移動可能である、ハウジングと、
作用を受けて前記注射器に作用する駆動装置と、
トリガであって、前記駆動装置が保持されるようにする休止位置から、前記駆動装置をもはやそのようには保持されていないようにする稼働位置へと移動可能であり、このようにして、前記注射器の内容物を前記放出ノズルから放出することができるようにする、トリガと、
解除可能なロック機構体であって、前記トリガがその稼働位置に動くことを阻止される第１の位置から、前記トリガをその稼働位置に動かすことができる第２の位置に移動可能である、解除可能なロック機構体と、
を具備し、
前記トリガは、切り欠き部が設けられた第１の部分を含み、
前記第１の部分は、前記トリガの第１の端部から前記第１の軸線に実質的に平行な方向に延び、
前記解除可能なロック機構体は、前記解除可能なロック機構体がその第１の位置にあるときに前記トリガの前記第１の部分と連絡し、前記解除可能なロック機構体がその第２の位置にあるとき、前記切り欠き部と連絡するために、第２の軸線に沿った突起を含む、注入器具。
（２）実施態様（１）記載の注入器具において、
前記解除可能なロック機構体がその第２の位置にあり、前記トリガがその稼働位置にあるとき、前記突起は、前記切り欠き部の縁と連絡するように構成されている隆起部を具備し、それにより、前記トリガのその稼働位置からその休止位置への移動を阻止する、注入器具。
（３）実施態様（２）記載の注入器具において、
前記トリガは、第２の部分であって、前記トリガの前記第１の部分の前記切り欠き部内に延びており、前記解除可能なロック機構体がその第２の位置にあり、前記トリガがその稼働位置にあるときに、前記隆起部と連絡するように構成されている第２の部分を更に含む、注入器具。
（４）実施態様（３）記載の注入器具において、
前記解除可能なロック機構体は、前記突起を前記第２の部分に対して押し付けるように構成された付勢手段を具備する、注入器具。
（５）実施態様（１）〜（４）のうちのいずれか1に記載の注入器具において、
前記トリガの前記第１の部分は、前記第１の部分に配置された隆起部を具備し、前記突起は、前記トリガがその休止位置にあるときに、前記切り欠き部と前記隆起部との間に位置して、前記トリガをその休止位置から動かそうとした場合、前記隆起部が前記突起と連絡するようになっている、注入器具。
（６）実施態様（１）〜（５）のうちいずれか1に記載の注入器具において、
前記突起は、前記第２の軸線に対して角度をなしている傾斜面を具備する、注入器具。
（７）実施態様（１）〜（６）のうちいずれか1に記載の注入器具において、
前記第１の軸線と前記第２の軸線とは、互いに垂直である、注入器具。
（８）注入器具において、
実質的に添付の図面を参照して本明細書において説明すると共に添付の図面に示した、注入器具。
【図面の簡単な説明】
【００３２】
【図１】本発明の注入器具の斜視図である。
【図２】ハウジングの上方区分が図示されていない図１の注入器具の側面図である。
【図３】更に別のコンポーネントが図示されていない図２の注入器具の側面図である。
【図４】図２の注入器具の平面図である。
【図５】本発明の1実施形態に従ったトリガおよび解除可能なロック機構体の斜視図である。
【図６】図５のトリガおよび解除可能なロック機構体の代替の斜視図である。
【図１】
2008534205.tif 000003
【図２】
2008534205.tif 000004
【図３】
2008534205.tif 000005
【図４】
2008534205.tif 000006
【図５】
2008534205.tif 000007
【図６】
2008534205.tif 000008
【国際調査報告】
2008534205.tif 000009
2008534205.tif 000010
2008534205.tif 000011
2008534205.tif 000012